(57)【要約】【課題】  基地局装置Ｑ１〜ＱＭと移動局装置Ｐ１〜ＰＮとが無線により通信する移動無線通信システムで、移動局装置に関する情報を効率的に収集する。【解決手段】  基地局装置は、管理している移動局装置に対して応答を要求する管理応答要求信号を無線送信し、非管理である移動局装置に対して応答を要求する非管理応答要求信号を無線送信し、移動局装置から無線送信される応答信号を受信する。移動局装置は、自局装置に対する管理応答要求信号が受信されたことに応じて基地局装置に対して応答信号を無線送信し、自局装置に対する管理応答要求信号が非受信であった場合には、非管理応答要求信号が受信されたことに応じて基地局装置に対して応答信号を無線送信する。【選択図】  図１
2005236877.tif 000002
【特許請求の範囲】
【請求項１】
基地局装置と移動局装置とが無線により通信する移動無線通信システムにおいて、
基地局装置は、自局装置により管理している移動局装置に対して応答を要求する管理応答要求信号を無線送信する管理応答要求信号無線送信手段と、
自局装置により非管理である移動局装置に対して応答を要求する非管理応答要求信号を無線送信する非管理応答要求信号無線送信手段と、
移動局装置から無線送信される応答信号を受信する応答信号無線受信手段と、
自局装置により管理していた移動局装置が自局装置の通信領域の外へ移動したことを検出した場合に当該移動局装置の移動に関する情報を他の基地局装置に対して通知する移動局装置移動情報通知手段と、
他の基地局装置から移動局装置の移動に関する情報が通知された場合に当該移動局装置を管理応答要求信号無線送信手段により管理応答要求信号を無線送信する対象に含める管理応答要求信号無線送信制御手段と、を備え、
移動局装置は、基地局装置から無線送信される管理応答要求信号を受信する管理応答要求信号無線受信手段と、
基地局装置から無線送信される非管理応答要求信号を受信する非管理応答要求信号無線受信手段と、
管理応答要求信号無線受信手段により自局装置に対する管理応答要求信号が受信されたことに応じて基地局装置に対して応答信号を無線送信する管理応答信号無線送信手段と、
管理応答要求信号無線受信手段により自局装置に対する管理応答要求信号が非受信であった場合に、非管理応答要求信号無線受信手段により非管理応答要求信号が受信されたことに応じて基地局装置に対して応答信号を無線送信する非管理応答信号無線送信手段と、を備えた、
ことを特徴とする移動無線通信システム。
【発明の詳細な説明】
【技術分野】
【０００１】
本発明は、基地局装置と移動局装置とが無線により通信する移動無線通信システムに関し、特に、移動局装置に関する情報を効率的に収集することが可能な移動無線通信システムに関する。
【背景技術】
【０００２】
例えば、列車無線システムや携帯電話システムや簡易型携帯電話システム（ＰＨＳ：Personal Handy phone System）などの移動無線通信システムでは、回線制御装置が各基地局装置を経由して全ての移動局装置からの位置情報を絶えず収集して、移動局装置の在線状態を把握することが必要とされている。
【０００３】
【特許文献１】特開平７−２２１６８６号公報
【発明の開示】
【発明が解決しようとする課題】
【０００４】
しかしながら、上述のような移動無線通信システムでは、移動局装置の位置情報を絶えず収集するために、全ての領域（エリア）について、回線制御装置が各基地局装置を経由して移動局装置に対してポーリングにより通信することが行われることから、全ての移動局装置に関する情報を収集するのに多大な時間がかかってしまうといった不具合があった。
本発明は、このような従来の事情に鑑み為されたもので、移動局装置に関する情報を効率的に収集することが可能な移動無線通信システムを提供することを目的とする。
【課題を解決するための手段】
【０００５】
上記目的を達成するため、本発明に係る移動無線通信システムでは、基地局装置と移動局装置とが無線により通信するに際して、一構成例として、次のような処理を行う。
すなわち、基地局装置では、管理応答要求信号無線送信手段が、自局装置（当該基地局装置）により管理している移動局装置に対して、応答を要求する管理応答要求信号を無線送信する。また、非管理応答要求信号無線送信手段が、自局装置により非管理である（つまり、管理していない）移動局装置に対して、応答を要求する非管理応答要求信号を無線送信する。また、応答信号無線受信手段が、移動局装置から無線送信される応答信号を受信する。
移動局装置では、管理応答要求信号無線受信手段が、基地局装置から無線送信される管理応答要求信号を受信する。また、非管理応答要求信号無線受信手段が、基地局装置から無線送信される非管理応答要求信号を受信する。また、管理応答信号無線送信手段が、管理応答要求信号無線受信手段により自局装置（当該移動局装置）に対する管理応答要求信号が受信されたことに応じて、基地局装置に対して応答信号を無線送信する。また、非管理応答信号無線送信手段が、管理応答要求信号無線受信手段により自局装置に対する管理応答要求信号が非受信であった（つまり、受信されなかった）場合に、非管理応答要求信号無線受信手段により非管理応答要求信号が受信されたことに応じて、基地局装置に対して応答信号を無線送信する。
従って、基地局装置が、管理している移動局装置に対して応答要求信号（管理応答要求信号）を送信するとともに、管理していない移動局装置に対して応答要求信号（非管理応答要求信号）を送信し、また、移動局装置が、自局装置に対する管理応答要求信号を受信した場合にはそれに応じて応答信号を返送し、自局装置に対する管理応答要求信号を受信しなかった場合には非管理応答要求信号を受信したことに応じて応答信号を返送することにより、基地局装置では移動局装置に関する情報を効率的に収集することができ、例えば、複数の基地局装置のそれぞれ毎に移動局装置に関する情報を収集して、これらの情報を回線制御装置により一括して収集するようなことが効率的に実現される。
【０００６】
また、本発明に係る基地局装置では、一構成例として、移動局装置移動情報通知手段が、自局装置により管理していた移動局装置が自局装置の通信領域（サービスエリア）の外へ移動したことを検出した場合に、当該移動局装置の移動に関する情報を、他の基地局装置に対して通知する。
また、本発明に係る基地局装置では、一構成例として、管理応答要求信号無線送信制御手段が、他の基地局装置から移動局装置の移動に関する情報が通知された場合に、当該移動局装置を、管理応答要求信号無線送信手段により管理応答要求信号を無線送信する対象に含める。
従って、或る基地局装置の通信領域の内から外へ或る移動局装置が移動した場合に、その旨を当該基地局装置から例えば隣接する他の基地局装置へ通知して、当該他の基地局装置では当該移動局装置に対して管理応答要求信号を送信するようにすることにより、基地局装置では移動局装置に関する情報を効率的に収集することができ、例えば、複数の基地局装置のそれぞれ毎に移動局装置に関する情報を収集して、これらの情報を回線制御装置により一括して収集するようなことが効率的に実現される。
【０００７】
ここで、基地局装置により管理している移動局装置に対する応答要求信号（管理応答要求信号）や、基地局装置により管理していない移動局装置に対する応答要求信号（非管理応答要求信号）や、管理応答要求信号に対する移動局装置からの応答信号や、非管理応答要求信号に対する移動局装置からの応答信号としては、それぞれ、種々な信号が用いられてもよい。
また、移動局装置から基地局装置に対して無線送信される応答信号には、例えば、移動局装置の状態を表す情報などの種々な情報が含まれてもよい。
また、基地局装置において、自局装置により管理していた移動局装置が自局装置の通信領域の外へ移動したことを検出する手法としては、例えば、自局装置により管理していた移動局装置からの応答信号を受信しなくなったことを検出した場合に、当該移動局装置が自局装置の通信領域に存在しなくなったとみなして、つまり、当該移動局装置が他の基地局装置の通信領域へ移動したとみなして、検出するような手法を用いることができる。
また、移動局装置の移動に関する情報を通知する先となる基地局装置（他の基地局装置）としては、例えば、通知元となる基地局装置に対して通信領域が隣接する基地局装置が用いられる。
また、移動局装置の移動に関する情報の通知先となる基地局装置（他の基地局装置）の数としては、１個であってもよく、或いは、２個以上であってもよい。例えば、移動局装置が実際に移動した先の通信領域の基地局装置のみが通知先とされてもよく、或いは、移動局装置が移動した先である可能性を有する通信領域の基地局装置が通知先とされてもよい。
また、移動局装置の移動に関する情報としては、種々な情報が用いられてもよい。
【０００８】
以下で、更に、本発明に係る構成例を示す。
一構成例として、基地局装置は、自局装置の通信領域に存在する移動局装置を、それぞれの移動局装置に割り当てられた識別情報に基づいて、管理する。
ここで、識別情報としては、種々な情報が用いられてもよく、例えば、番号の情報を用いることができる。
一構成例として、基地局装置の管理応答要求信号無線送信手段は、自局装置により管理している移動局装置について、それぞれの移動局装置に対して順番に、それぞれの移動局装置の識別情報を指定する管理応答要求信号を無線送信する。一例として、ポーリング方式による通信を用いる。
一構成例として、基地局装置の非管理応答要求信号無線送信手段は、移動局装置の識別情報を指定しない非管理応答要求信号を無線送信する。
一構成例として、基地局装置は、管理応答要求信号無線送信手段により自局装置により管理している全ての移動局装置に対して管理応答要求信号を無線送信した後に、続いて、非管理応答要求信号無線送信手段により非管理応答要求信号を無線送信する。
一構成例として、基地局装置の管理応答要求信号無線送信制御手段は、自局装置の通信領域へ移動してきた移動局装置或いは自局装置の通信領域へ移動してきた可能性を有する移動局装置を、自局装置により管理している移動局装置の中に含める。一例として、基地局装置は、自局装置の通信領域に存在する移動局装置を、識別情報を用いて、管理する。
一構成例として、移動局装置の移動に関する情報としては、当該移動局装置の識別情報を含む情報が用いられる。
一構成例として、移動局装置では、基地局装置から受信される管理応答要求信号により自局装置の識別情報が指定されなかった場合に、自局装置に対する管理応答要求信号が非受信であったことを検出する。例えば、基地局装置から受信される管理応答要求信号に含まれる移動局装置の識別情報が１周しても、自局装置の識別情報が無かった場合に、自局装置に対する管理応答要求信号が非受信であったことを検出する。
【発明の効果】
【０００９】
以上説明したように、本発明に係る移動無線通信システムによると、基地局装置では、管理している移動局装置に対して管理応答要求信号を無線送信し、非管理である移動局装置に対して非管理応答要求信号を無線送信し、移動局装置から無線送信される応答信号を受信し、また、移動局装置では、基地局装置から自局装置に対する管理応答要求信号を受信したことに応じて基地局装置に対して応答信号を無線送信し、基地局装置から自局装置に対する管理応答要求信号が非受信であった場合には基地局装置から非管理応答要求信号を受信したことに応じて基地局装置に対して応答信号を無線送信するようにしたため、例えば、応答信号に基づいて、移動局装置に関する情報を効率的に収集することが可能である。
また、本発明に係る移動無線通信システムによると、基地局装置では、管理していた移動局装置が自局装置の通信領域の外へ移動したことを検出した場合には当該移動局装置の移動に関する情報を例えば隣接する他の基地局装置に対して通知し、当該他の基地局装置では、当該移動局装置の移動に関する情報が通知された場合には管理応答要求信号を無線送信する対象に当該移動局装置を含めるようにしたため、例えば、応答信号に基づいて、移動局装置に関する情報を効率的に収集することが可能である。
【発明を実施するための最良の形態】
【００１０】
本発明に係る一実施例を図面を参照して説明する。
本例では、移動無線通信システムの一例である列車無線システムに本発明を適用した場合を示す。本例の列車無線システムでは、移動局装置として、例えば、列車上に存在する無線通信装置が用いられる。なお、他の構成例として、移動局装置が自動車上に存在するシステムなどに適用することも可能である。
図１には、本例の移動無線通信システムの構成例を示してある。
本例の移動無線通信システムには、複数であるＮ個の移動局装置Ｐ１〜ＰＮと、複数であるＭ個の基地局装置Ｑ１〜ＱＭと、回線制御装置１と、指令卓２が設けられている。
【００１１】
ここで、各移動局装置Ｐ１〜ＰＮはそれぞれ移動する（或いは、移動させられる）ことが可能であり、各基地局装置Ｑ１〜ＱＭはそれぞれ固定的な場所に設置されている。
また、各基地局装置Ｑ１〜ＱＭは、それぞれの通信領域（サービスエリア）に存在する移動局装置Ｐ１〜ＰＮを識別番号の情報により管理して、それぞれの通信領域に存在する移動局装置Ｐ１〜ＰＮとの間で無線により通信する。
また、各基地局装置Ｑ１〜ＱＭは、互いに通信することが可能であり、本例では、通信領域が互いに隣接する基地局装置どうしなどの間で有線ケーブルを介して通信することが可能である。
また、回線制御装置１は、全ての基地局装置Ｑ１〜ＱＭと接続されており、各基地局装置Ｑ１〜ＱＭとの間で通信して、各基地局装置Ｑ１〜ＱＭから移動局装置Ｐ１〜ＰＮに関する情報を受信することなどが可能である。
また、指令卓２は、回線制御装置１と接続されており、例えば、人（指令者）又は装置機能（指令機能）により制御されて、回線制御装置１を介して各基地局装置Ｑ１〜ＱＭとの間で通信して、各基地局装置Ｑ１〜ＱＭに対して指令を発することなどが可能である。
【００１２】
本例の移動無線通信システムにおいて行われる動作の一例を示す。
各移動局装置Ｐ１〜ＰＮは、各基地局装置Ｑ１〜ＱＭの通信領域（サービスエリア）で無線通信を行う。各基地局装置Ｑ１〜ＱＭにより受信された信号は、回線制御装置１により回線制御されて、指令卓２により受話される。
一方、指令卓２からの送話信号は、回線制御装置１により通信可能な基地局装置Ｑ１〜ＱＭが選択されて無線送信制御が行われ、これにより通話路が構成されて移動局装置Ｐ１〜ＰＮと通信される。
このようなシステムにおいて、各基地局装置Ｑ１〜ＱＭは、データチャンネルを使用して、自局装置の無線による通信領域に存在する各移動局装置Ｐ１〜ＰＮからポーリング方式により状態情報や位置情報などのデータを収集する。なお、ポーリング方式では、例えば、１個の第１装置（本例では、基地局装置）が複数の第２装置（本例では、移動局装置）のそれぞれに対して順次問い合わせのためにポーリング信号の送信を行い、第２装置が第１装置に対して問い合わせ（ポーリング信号）に対する応答のために応答信号の送信を行う。
本例では、各基地局装置Ｑ１〜ＱＭは、自局装置の通信領域に存在するものとして管理している全ての移動局装置Ｐ１〜ＰＮのそれぞれを順次指定してポーリング信号を無線送信し、その後、移動局装置を指定せずにポーリング信号を無線送信し、その後、再び、このような一連のポーリング信号の送信を行う。
【００１３】
また、各基地局装置Ｑ１〜ＱＭは、例えば自局装置の通信領域に存在していた移動局装置Ｐ１〜ＰＮについて、当該移動局装置Ｐ１〜ＰＮがポーリング信号に対して応答しなくなった場合には、隣接する基地局装置（隣接基地局装置）Ｑ１〜ＱＭに対して当該移動局装置Ｐ１〜ＰＮが自局装置の通信領域の外へ移動したこと（移動局装置の移動に関する情報）を通知する。
このような移動局装置の移動に関する情報を受信した基地局装置（上記した隣接基地局装置）Ｑ１〜ＱＭは、当該移動に係る移動局装置Ｐ１〜ＰＮを、ポーリング信号を送信する対象とする移動局装置に追加する。これにより、全ての移動局装置Ｐ１〜ＰＮのデータを確実に収集することが可能となる。
一方、各移動局装置Ｐ１〜ＰＮは、基地局装置Ｑ１〜ＱＭから自局装置を指定したポーリング信号を受信した場合には、応答信号を無線により送信（返送）し、また、基地局装置Ｑ１〜ＱＭから自局装置を指定したポーリング信号を受信しなかった場合には、基地局装置Ｑ１〜ＱＭから移動局装置を指定していないポーリング信号（指定無しのポーリング信号）を受信したことに応じて応答信号を無線により送信（返送）する。これにより、全ての移動局装置Ｐ１〜ＰＮのデータを確実に収集することが可能となる。
【００１４】
次に、図２を参照して、基地局装置Ｑ１〜ＱＭと移動局装置Ｐ１〜ＰＮとの間で行われるポーリング方式による通信の手順の一例を示す。
なお、本例では、１個の基地局装置Ｑ１の通信領域（サービスエリア）に複数であるｎ個の移動局装置Ｐ１〜Ｐｎが存在して、これらｎ個の移動局装置Ｐ１〜Ｐｎの識別番号情報“１”〜“ｎ”が当該基地局装置Ｑ１により管理されている場合を例として示す。
図２には、（Ａ）基地局装置Ｑ１から順番に無線送信されるポーリング信号ａ１〜ａｎ、ｂ、ｃ１、ｃ２の一例、（Ｂ）第１の移動局装置Ｐ１から無線送信される応答情報の信号（応答信号）ｄ１の一例、（Ｃ）第２の移動局装置Ｐ２から無線送信される応答情報の信号（応答信号）ｄ２の一例、・・・、（Ｄ）第ｎの移動局装置Ｐｎから無線送信される応答情報の信号（応答信号）ｄｎの一例、（Ｅ）基地局装置Ｑ１の通信領域に存在するが当該基地局装置Ｑ１により管理されていない移動局装置（ｎ個の移動局装置Ｐ１〜Ｐｎ以外の移動局装置）から無線送信される応答情報の信号（応答信号）ｅの一例を示してある。
【００１５】
ここで、図２（Ａ）に示されるように、基地局装置Ｑ１は、第１の移動局装置Ｐ１の識別番号を指定するポーリング信号ａ１、第２の移動局装置Ｐ２の識別番号を指定するポーリング信号ａ２、・・・、第ｎの移動局装置Ｐｎの識別番号を指定するポーリング信号ａｎを無線送信した後に、続けて、移動局装置の識別番号を指定しないポーリング信号（指定無しのポーリング信号）ｂを無線送信し、その後、続けて、第１の移動局装置Ｐ１の識別番号を指定するポーリング信号ｃ１、第２の移動局装置Ｐ２の識別番号を指定するポーリング信号ｃ２、・・・を無線送信する、というように、同様なポーリング信号の送信処理を繰り返して行う。なお、基地局装置Ｑ１により管理する移動局装置の数や、基地局装置Ｑ１により管理する移動局装置の識別番号が変更したような場合には、基地局装置Ｑ１は、当該変更に応じて、移動局装置の識別番号を指定して送信するポーリング信号の数や、ポーリング信号で指定する移動局装置の識別番号を変更する。
【００１６】
具体的には、基地局装置Ｑ１は、自局装置の通信領域に存在する移動局装置Ｐ１〜Ｐｎについて、各移動局装置Ｐ１〜Ｐｎに対するポーリング信号ａ１〜ａｎを順次送信する。
これに対して、各移動局装置Ｐ１〜Ｐｎは、基地局装置Ｑ１から自局装置宛てのポーリング信号ａ１〜ａｎを受信すると、応答信号ｄ１〜ｄｎを基地局装置Ｑ１に対して無線送信する。
また、基地局装置Ｑ１は、上記のようにして自局装置の通信領域に存在するとして認識（在線認識）している全ての移動局装置Ｐ１〜Ｐｎに対するポーリング信号ａ１〜ａｎの送信が終了した後に、移動局装置を指定しないポーリング信号ｂを無線送信する。
これに対して、ポーリング信号ａ１〜ａｎにより指定されていないことを検出した移動局装置は、基地局装置Ｑ１から指定無しのポーリング信号ｂを受信すると、応答信号ｅを基地局装置Ｑ１に対して無線送信する。すると、基地局装置Ｑ１は、指定無しのポーリング信号ｂに対して受信した応答信号ｅの送信元の移動局装置を管理対象に追加（在線認識）する。なお、各応答信号には、当該各応答信号を送信する移動局装置の識別番号の情報が含められる。
また、基地局装置Ｑ１は、指定有りのポーリング信号ａ１〜ａｎや指定無しのポーリング信号ｂにより移動局装置から受信した応答信号に基づいて各移動局装置の状態情報や位置情報などのデータを集めて、当該データを回線制御装置１へ送信する。これにより、回線制御装置１は、各基地局装置Ｑ１〜ＱＭから受信したデータにより、全ての移動局装置Ｐ１〜ＰＮに関する状態情報や位置情報などを収集することができる。
【００１７】
以上のように、本例の移動無線通信システムでは、複数の移動局装置Ｐ１〜ＰＮと複数の基地局装置Ｑ１〜ＱＭとの間で無線通信し、複数の基地局装置Ｑ１〜ＱＭを統制する回線制御装置１や、移動局装置Ｐ１〜ＰＮと通話を行うことが可能な指令卓２を備えた構成において、次のようにして、移動局装置Ｐ１〜ＰＮの状態に関する情報をデータ通信する。
すなわち、基地局装置Ｑ１〜ＱＭでは、自局装置の通信領域に存在する移動局装置Ｐ１〜ＰＮに対して識別番号を設けて、当該識別番号を用いて制御部により各移動局装置Ｐ１〜ＰＮに対してデータ応答の要求（ポーリング要求）を行う。具体的には、基地局装置Ｑ１では、制御部は、自局装置の通信領域に存在している移動局装置の数（例えば、ｎ個）と比べて１回分（或いは、２回分以上でもよい）多くポーリング通信するように制御し、当該追加した１回分（或いは、２回分以上でもよい）のポーリング信号では移動局装置の指定番号無しでデータを結果収集する。
また、移動局装置Ｐ１〜ＰＮでは、基地局装置Ｑ１〜ＱＭからのポーリング要求に対して自局装置が指定された場合には、自局装置の状態に関する情報を制御部により応答し、また、基地局装置Ｑ１〜ＱＭからのポーリング要求により自局装置が指定されなかった場合には、基地局装置Ｑ１〜ＱＭからの指定番号無しのポーリング信号に対して制御部により応答する。
これにより、基地局装置Ｑ１〜ＱＭの通信領域（サービスエリア）に存在する移動局装置Ｐ１〜ＰＮの全ての状態のデータをポーリング方式で収集することが効率化される。
【００１８】
また、本例の移動無線通信システムでは、基地局装置Ｑ１〜ＱＭの間で通信する機能を設け、或る基地局装置Ｑ１〜ＱＭが、自局装置からのポーリング信号に対して或る移動局装置Ｐ１〜ＰＮからの応答が無かった場合には、当該移動局装置Ｐ１〜ＰＮが自局装置の通信領域から他局装置の通信領域へ移動したものと認識して、当該移動局装置Ｐ１〜ＰＮの識別番号を隣接基地局装置Ｑ１〜ＱＭへ通知する。また、当該隣接基地局装置Ｑ１〜ＱＭでは、当該通知の信号を受信した場合には、当該通知された移動局装置Ｐ１〜ＰＮをポーリング信号の指定先として追加するように制御する。
つまり、基地局装置Ｑ１〜ＱＭでは、自局装置の通信領域に存在する移動局装置Ｐ１〜ＰＮに対してポーリング通信してデータを収集し、これに際して、他の基地局装置Ｑ１〜ＱＭから移動局装置の移動に関する情報を入手した場合には、当該移動局装置についてもポーリング通信して、在線の移動局装置の全てについてのデータを収集する。
これにより、例えば、回線制御装置１により移動局装置Ｐ１〜ＰＮの位置情報を管理せずとも、各基地局装置Ｑ１〜ＱＭと隣接基地局装置Ｑ１〜ＱＭとの間の情報通信により、移動局装置Ｐ１〜ＰＮの在線管理が可能となる。
【００１９】
このように、本例の移動無線通信システムでは、無線回線を使用して複数の基地局装置Ｑ１〜ＱＭにより複数の移動局装置Ｐ１〜ＰＮの状態を監視してデータを収集するデータ収集方式において、基地局装置Ｑ１〜ＱＭからのポーリング信号として移動局装置を無指定とする信号を設け、移動局装置Ｐ１〜ＰＮがポーリング要求を受けなかったときに当該無指定のポーリング信号に対して応答するように動作することや、隣接基地局装置Ｑ１〜ＱＭどうしで移動局装置Ｐ１〜ＰＮの在線情報を通信して、移動局装置Ｐ１〜ＰＮが自局装置の通信領域に移動してきた（或いは、その可能性がある）という情報を入手した基地局装置Ｑ１〜ＱＭが当該移動局装置Ｐ１〜ＰＮについてもポーリング通信の指定対象とすることを行う。
従って、本例の移動無線通信システムでは、全ての移動局装置Ｐ１〜ＰＮに関するデータを分散させて各基地局装置Ｑ１〜ＱＭ毎に収集して回線制御装置１へ通知し、回線制御装置１により各基地局装置Ｑ１〜ＱＭ毎から移動局装置Ｐ１〜ＰＮに関するデータを収集することで、全ての移動局装置Ｐ１〜ＰＮの状態の情報を収集することができ、例えば、当該データを高速に収集することや、移動局装置Ｐ１〜ＰＮの状態を高速に把握することができる。一例として、列車無線システムなどにおいて、車上局（移動局装置）のデータの収集時間を短縮することができる。
【００２０】
なお、本例では、各移動局装置Ｐ１〜ＰＮを指定するポーリング信号ａ１〜ａｎ、ｃ１、ｃ２により管理応答要求信号が構成されており、移動局装置を指定しないポーリング信号ｂにより非管理応答要求信号が構成されている。
また、本例の各基地局装置Ｑ１〜ＱＭでは、管理応答要求信号を無線送信する管理応答要求信号無線送信手段の機能や、非管理応答要求信号を無線送信する非管理応答要求信号無線送信手段の機能や、応答信号を受信する応答信号無線受信手段の機能や、移動局装置の移動に関する情報を他の基地局装置へ通知する移動局装置移動情報通知手段の機能や、他の基地局装置からの通知に基づいて当該通知に係る移動局装置を管理応答要求信号の送信対象に追加する管理応答要求信号無線送信制御手段の機能を備えている。
また、本例の各移動局装置Ｐ１〜ＰＮでは、管理応答要求信号を受信する管理応答要求信号無線受信手段の機能や、非管理応答要求信号を受信する非管理応答要求信号無線受信手段の機能や、管理応答要求信号に対して応答信号を無線送信する管理応答信号無線送信手段の機能や、非管理応答要求信号に対して応答信号を無線送信する非管理応答信号無線送信手段の機能を備えている。
【００２１】
ここで、本発明に係る移動無線通信システムや基地局装置や移動局装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る移動無線通信システムや基地局装置や移動局装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２２】
【図１】本発明の一実施例に係る移動無線通信システムの構成例を示す図である。
【図２】本発明の一実施例に係る移動無線通信システムにおいて行われる通信の手順の一例を示す図である。
【符号の説明】
【００２３】
１・・回線制御装置、  ２・・指令卓、  Ｐ１〜ＰＮ・・移動局装置、  Ｑ１〜ＱＭ・・基地局装置、  ａ１〜ａＮ、ｂ、ｃ１、ｃ２・・ポーリング信号、  ｄ１〜ｄＮ、ｅ・・応答信号、
【図１】
2005236877.tif 000003
【図２】
2005236877.tif 000004